(57)【要約】  少なくとも２つの主として長方形のパネル状壁要素であって、これらパネル状壁要素の長い辺によって互いに接合されるように構成され、表面板要素１、１’、並びにそれに取り付けられるべき支持要素２、２’と絶縁要素３、３’とを含むパネル状壁要素を備える耐火材から作られる壁構造体。壁要素の長い辺には表面板要素の縁から形成される屈曲部１ａ、１ｂ、１ｂ’が設けられ、この屈曲部は壁要素がその短い辺と平行に互いに接合され得るように成形されかつ寸法取りされ、据付け時に互いに部分的に重なり合い、いかなる別個の締結部材もなしに壁要素の平面に対して横方向にロックされる。
2009516106.tif 000002
【特許請求の範囲】
【請求項１】
少なくとも２つの主として長方形のパネル状壁要素であって、それらの長い辺によって互いに接合されるように構成され、表面板要素（１、１’）、並びにそれらに取り付けられるべき支持要素（２、２’）及び絶縁要素（３、３’）を含むパネル状壁要素を備え、それによって前記壁要素の長い辺は前記表面板要素の縁から形成される屈曲部（１ａ、１ｂ、１ｂ’）が設けられ、前記長い辺のうちの一方において溝状の窪み（１ｄ、１ｄ’）を、そして他方の長い辺においてリッジ状の突出部（１ｃ）を備え、その突出部は前記窪みと一致するように寸法取りされ、前記窪み（１ｄ、１ｄ’）及び前記突出部（１ｃ）は前記表面板要素（１、１’）の内壁のレベルからある距離のところに配置される前記壁要素の法線方向にある、耐火材から作られる壁構造体であって、前記支持要素（２、２’）は前記表面板要素（１、１’）と前記窪み（１ｄ、１ｄ’）及び前記突出部（１ｃ）との間の空間に据え付けられるように配置され、前記壁要素の法線方向の前記窪み（１ｄ、１ｄ’）及び前記突出部（１ｃ）の幅は、絶縁要素（３、３’）が前記支持要素（２、２’）の頂部に、及び前記突出部（１ｃ）の内面によって形成される前記窪みの中に部分的に据え付けられ得るように選択され、その結果この絶縁要素は前記支持要素（２、２’）に対して部分的に重なり合う位置に配置されることを特徴とする、壁構造体。
【請求項２】
前記重なり合う部分のサイズが少なくとも約１５ｍｍであり、最も好ましくはさらに長く、したがって耐火技術的に有利な構造体が提供されることを特徴とする、請求項１に記載の壁構造体。
【請求項３】
前記窪み（１ｄ、１ｄ’）の及び前記突出部（１ｃ）の相互に協働する重なり合う表面（１ｅ、１ｆ、１ｆ’）のうちの少なくとも１つが、楔状に互いに前記壁要素を案内するように僅かに傾斜されることを特徴とする、請求項１又は２に記載の壁構造体。
【請求項４】
前記壁要素の前記屈曲部（１ａ、１ｂ、１ｂ’）が前記長い辺のうちの一方において前記壁要素の法線方向に次々に配置される２つの窪み（１ｇ、１ｈ）を備え、その窪みの間にリッジ状の突出部（１ｃ）があり、それらが屈曲部の長手方向に互いに重なり合い、他方の長い辺には前記窪みと一致するように寸法取りされる２つの対応するリッジ状の突出部（１ｉ’、１ｊ’）が設けられ、その突出部の間に窪み（１ｄ’）があり、それらが屈曲部の長手方向に互いに重なり合うことを特徴とする、請求項１から３までのいずれか一項に記載の壁構造体。
【請求項５】
前記支持要素（２、２’）及び前記絶縁要素（３、３’）が、前記表面板要素（１、１’）の縁屈曲部（１ａ、１ｂ、１ｂ’）の内面の全幅に沿って配置されることを特徴とする、請求項１から４までのいずれか一項に記載の壁構造体。
【請求項６】
前記表面板要素（１、１’）、前記支持要素（２、２’）、及び前記絶縁要素（３、３’）が接着することによって互いに接合されることを特徴とする、請求項１から５までのいずれか一項に記載の壁構造体。
【請求項７】
その長い辺には表面板要素（１）の縁から形成される屈曲部（１ａ、１ｂ）が設けられ、その屈曲部が請求項１から６までのうちの１つ又はいくつかに規定されるように成形されかつ寸法取りされ、その結果前記壁要素が前記請求項に規定された前記壁構造体の一部を形成するように取り付けられ得ることを特徴とする、請求項１から６までのいずれか一項に記載の前記壁構造体に含まれる壁要素。
【請求項８】
その長い辺には前記表面板要素（１）の前記縁から形成される屈曲部（１ａ、１ｂ）が設けられ、この屈曲部が前記壁要素の垂直スチフナとして働くように成形され、並びに前記表面板要素（１）が必要に応じて前記壁要素の垂直補剛を可能にすることを特徴とする、請求項１に記載の前記壁構造体に含まれる壁要素。
【発明の詳細な説明】
【技術分野】
【０００１】
本発明は、耐火材から作られる壁構造体（請求項１の前提部分による）に関するものであり、この壁構造体はそのより長い辺によって互いに接合されるように構成され、表面板要素、並びにそれに取り付けられるべき支持要素及び絶縁要素を含む少なくとも２つの主として長方形のパネル状壁要素を備える。
【背景技術】
【０００２】
従前に知られている１つの壁構造体は、公報ＥＰ  ８７８３９０  Ｂ１に開示されている。この構造体では、スチフナ（補強材）が壁要素の１つの垂直縁部に配置され、両方の垂直縁部には表面板要素から形成される屈曲部が設けられ、それによって隣接する壁要素の屈曲部は隣接する壁要素のスチフナによって支持される。支持プレート及び壁要素に取り付けられる絶縁プレートがスチフナと１つの屈曲部との間に配置され、それによって絶縁プレート（この絶縁プレートは防火性の見地から重要である）は壁構造体の一部だけを覆う。構造体は火災の場合に互いにそれ自体を保持するための別個の接合片を必要とする。壁要素は裏面においてねじによって互いに接合される必要があるので、この構造体はすべての用途には使用することはできない。
【発明の開示】
【発明が解決しようとする課題】
【０００３】
本発明の目的は、改良された多目的の壁構造体を提供することであり、この壁構造体は、船及び同様な船舶に搭載する様々な用途（例えば客室及び廊下の構造体など）に特に利用することができ、構造上できるだけ簡単で薄肉で軽量であり、製作するのに経済的であり、かつ据付けが容易である。そのうえ、本発明の目的は壁構造体の耐火性をさらに改善することである。
【０００４】
本発明の目的は、主に添付の請求項１に開示するように、そして他の請求項で説明するようにより綿密に実現される。
【課題を解決するための手段】
【０００５】
本発明によれば、支持要素（壁要素の据付け後に、特に水平方向に壁要素の補強を可能にする）は、表面板要素と前記窪み及び前記突出部との間の空間に据え付けられるように配置される。壁要素の法線方向の前記窪み及び前記突出部の幅は、絶縁要素が支持要素の頂部に、及び突出部の内面によって形成される窪みの中に部分的に据え付けられ得るように選択され、その結果この絶縁要素は前記支持要素に対して部分的に重なり合う位置に配置される。
【０００６】
縁屈曲部は表面板要素それ自体から形成されるので、構造体の製作及び然るべき位置へのその据付けが容易であり、別個の支持要素も垂直方向のスチフナも必要とされない。この構造体は、隣接する壁要素を互いに取り付けるための別個の固定部材もまた利用する必要がない。加えて、特に客室の用途では、ただ１つの表面板要素だけを有する壁要素を使用することで十分であり、隣接する客室ユニットの壁要素の開放した裏面は互いに対向して配置され、例えば閉じられたカセット型の壁要素などを不要にする。同様に、この種の壁要素は別個の廊下の壁要素として有利に使用することができ、この廊下の壁要素は客室内壁として役立つ壁要素と共に完全な壁構造体に備えるものである。今述べたことすべてによりこの構造体は軽量になる。
【０００７】
金属性表面板要素の内壁のレベルからある距離のところに壁要素の法線方向に前記窪み及び前記突出部を配置することによって、支持要素は表面板要素と前記窪み及び前記突出部との間の空間に据え付けられ得る。
【０００８】
壁要素の法線方向の前記窪み及び前記突出部の幅が、絶縁要素が支持要素の頂部に、及び突出部の内面によって形成される窪みの中に部分的に据え付けられ得るように選択される場合、絶縁要素は前記支持要素に対して部分的に重なり合う位置に配置される。さらに、支持要素及び絶縁要素が表面板要素の縁屈曲部の内面の全幅に沿って配置されるので、防火性の見地から有利な連続構造体が得られる。
【０００９】
実際には、前記重なり合う部分のサイズは少なくとも約１５ｍｍであり、最も好ましくはさらに長く、したがって耐火技術的に有利な構造体が提供される。
【００１０】
据付けを容易にするために、前記窪みの及び前記突出部の相互に協働する重なり合う表面のうちの少なくとも１つは、楔状に互いに壁要素を案内するように有利に僅かに傾斜される。
【００１１】
防火性をさらに改善するために、壁要素の屈曲部は、より長い辺のうちの一方において壁要素の法線方向に次々に配置される２つの窪みを備え、その窪みの間にリッジ状の突出部があり、それらは屈曲部の長手方向に互いに重なり合うように開発されてもよい。同様に、他方のより長い辺には前記窪みと一致するように寸法取りされる２つの対応するリッジ状の突出部が設けられ、その突出部の間に窪みがあり、それらは屈曲部の長手方向に互いに重なり合う。このようにしてオーバーラップを増大することができ、構造体を補強することができる。
【００１２】
実際には、表面板要素、支持要素、及び絶縁要素は接着することによって互いに接合され得ることが好ましい。火災の場合にたとえ接着剤層が焼き尽くされても、この構造体は、要素の前記重なり合う構造のためにその然るべき位置にとどまることになる。
【００１３】
本発明はまた、上述の壁構造体に含まれる壁要素に関するものでもあり、その要素は、そのより長い辺には表面板要素の縁から形成される屈曲部が設けられ、その屈曲部は上記に説明した方法のうちの１つをもって形成されかつ寸法取りされ、その結果壁要素は前記壁構造体の一部を形成するように据え付けられ得ることを特徴とする。この壁要素は特に、前記屈曲部が壁要素の垂直スチフナとして働くように成形され、並びに表面板要素が必要に応じて壁要素の垂直補剛を可能にすることを特徴とするものである。
【００１４】
次に、本発明を、添付の概略図を参照して実施例として説明する。
【００１５】
図面の参照番号１は壁要素の外面を形成する表面板要素を指す。より長い辺のその縁のうちの一方は屈曲部１ａを形成し、同様に、より長い辺の他方の縁は屈曲部１ｂを形成する。屈曲部は、壁要素の垂直スチフナとして働き、屈曲部１ａが壁要素の一方の縁においてリッジ状の突出部１ｃを形成するのに対して屈曲部１ｂが壁要素の他方の縁において窪み１ｄを形成するように配置される。突出部１ｃ及び窪み１ｄは適切な大きさの空間がそれらの間に残るように壁要素の内面からある距離のところに配置され、その空間内に別個の支持要素２（これは横方向に表面板要素１を補強する）が据え付けられる。そのうえ、突出部１ｃ及び窪み１ｄは、支持要素２の頂部に据え付けられるべき絶縁要素３が突出部１ｃの内側の窪みに嵌合するように寸法取りされる。したがって、絶縁要素３は支持要素２に部分的に重なり合い、このことは構造体を互いに保持し並びに防火性を考慮することに鑑みて有利である。それによって、要素１、２及び３は、たとえ接着剤層が燃え尽きても、構造体全体が火災の際にばらばらに壊れるという実質的な危険を伴うことなく接着することによって互いに固定され得る。
【００１６】
図２及び図３は、壁構造体の２つの隣接する構造上一致する壁要素１及び１’がそれらのそれぞれのより長い辺の縁のところで屈曲部１ａ及び１ｂ’を利用することによって互いにいかに接合されるかを示す。屈曲部は表面１ｅ及び１ｆ’を備え、それらは屈曲部を互いに楔締めにするために僅かに傾斜され、したがって壁要素の据付けを容易にする。突出部１ｃ及び窪み１ｄ’は、それらが互いに内側に緊密に定着するように相互に寸法取りされかつ成形される。このようにして連続する耐火壁構造体が与えられる。屈曲部１ａ及び１ｂ’は接合したければねじ４によって互いにさらに接合されることができるが、これは構造体を互いに保持するために必要ではなく、ただ多少の予防策に過ぎない。
【００１７】
図５及び図６は図２及び図３に示す壁構造体の屈曲部についてのある改変を示し、また図７及び図８は別の改変を示し、改変された屈曲部構造体をもつ隣接する壁要素が互いにいかに接合されるかを示す。また、これらの屈曲部の説明においては、より長い辺のうちの一方には壁要素の法線方向に次々に配置される２つの窪み１ｇ及び１ｈが設けられ、その窪みの間にリッジ状の突出部１ｃがあり、それらは図２及び図３による説明と異なった方法で屈曲部の長手方向に互いに重なり合う。同様に、他方のより長い辺には前記窪み１ｇ及び１ｈと一致するように寸法取りされる２つの突出部１ｉ’及び１ｊ’が設けられ、その突出部の間に窪み１ｄ’があり、それらは屈曲部の長手方向に互いに重なり合う。図５及び図６及び他方で図７及び図８は、窪み及び突出部のオーバーラップを可能にする代替方法をお互いに示す。これらのオーバーラップは、同じ屈曲部の２つの突出部１ｉ’及び１ｊ’、或いは２つの窪み１ｇ及び１ｈの相互のオーバーラップが図５及び図７に示すように約５ｍｍ〜１０ｍｍであり、それによって突出部１ｉ’と隣接する窪み１ｄ’との間の距離、或いは相応じて突出部１ｃと窪み１ｇとの間の距離が多くて約２０ｍｍ〜２５ｍｍであるように寸法取りされ得ることが好ましい。
【００１８】
表面板要素は例えばシート鋼から作られ得ることが好ましい。図に示すように、支持要素はそれ自体公知の方法で波形シートから作られることができ、それによって構造体は薄肉で軽量に保たれ得る。用途及び必要とされる壁の強度によって異なるが、その全体の厚さは僅か５ｍｍ〜１０ｍｍの薄さであり得ることが好ましい。図１に示す方法では、表面板要素は構造体を覆うようにそのより短い辺においてもやはり屈曲され得ることが好ましい。絶縁プレート３に関しては、これは任意の軟質材料から作られることができ、この軟質材料は防火性に鑑みて適切なものであり、また、良好な防音特性も与えられることが好ましい。この材料は例えばロックウールであることができ、通常約１０ｍｍの層の厚さであり得ることが有利である。もちろん、２つ以上の重畳された絶縁層が使用されるならば防火性と防音は共に改善される。
【００１９】
説明した壁構造体の壁要素の個体性及び軽量性のために、これらは組立て式工法で作り、建築現場まで移動してさらに壁構造体をそこで組み立てやすく、このことはコストを低減し、架設段階の速度を上げる傾向がある。
【００２０】
本発明は示された実施例に限定されないが、いくつかの変形が添付の請求の範囲の範囲内で考えられる。
【図面の簡単な説明】
【００２１】
【図１】本発明による壁構造体に含まれる壁要素の、部分的に断面での斜視背面図である。
【図２】要素のより短い辺の方向の断面図の形で、壁構造体に含まれる２つの隣接する壁要素が互いにいかに接合されるかを示す図である。
【図３】要素のより短い辺の方向の断面図の形で、壁構造体に含まれる２つの隣接する壁要素が互いにいかに接合されるかを示す図である。
【図４】図３の断面ＩＶ−ＩＶを示す図である。
【図５】要素のより短い辺の方向の断面図の形で、本発明による壁構造体に含まれ、かつ第１の他の屈曲部構造体をもつ２つの隣接する壁要素が互いにいかに接合されるかを示す図である。
【図６】要素のより短い辺の方向の断面図の形で、本発明による壁構造体に含まれ、かつ第１の他の屈曲部構造体をもつ２つの隣接する壁要素が互いにいかに接合されるかを示す図である。
【図７】要素のより短い辺の方向の断面図の形で、本発明による壁構造体に含まれ、かつ第２の他の屈曲部構造体をもつ２つの隣接する壁要素が互いにいかに接合されるかを示す図である。
【図８】要素のより短い辺の方向の断面図の形で、本発明による壁構造体に含まれ、かつ第２の他の屈曲部構造体をもつ２つの隣接する壁要素が互いにいかに接合されるかを示す図である。
【図１】
2009516106.tif 000003
【図２】
2009516106.tif 000004
【図３】
2009516106.tif 000005
【図４】
2009516106.tif 000006
【図５】
2009516106.tif 000007
【図６】
2009516106.tif 000008
【図７】
2009516106.tif 000009
【図８】
2009516106.tif 000010
【国際調査報告】
2009516106.tif 000011
2009516106.tif 000012